(57)【要約】【課題】単一の電池電源で駆動される第１のプリンタ部と第２のプリンタ部を備えるプリンタ装置において、電池電圧の平常時及びローバッテリ時でも印刷処理時間の短縮を行なう。【解決手段】電池電圧を検出し（Ｓ３）、その検出電圧が基準値ｂ以上であれば、標準モードの通電時間テーブルにより設定した通電時間に従って同一の印刷データに基づいてサーマルヘッドを駆動して光ディスクに印刷を行なう第１のプリンタ部とテープに印刷を行なう第２のプリンタ部とを並行して動作させる（Ｓ６）。検出電圧が基準値ｂ未満であれば、節電モードの通電時間テーブルにより設定した通電時間に従って第１のプリンタ部と第２のプリンタ部とを動作させる（Ｓ７）。これにより、平常時でも、またローバッテリ時においても、印刷時間の短縮を図って２つの印刷成果物を得ることができる。  【選択図】    図８
2005288779.tif 000002
【特許請求の範囲】
【請求項１】
単一の電池電源により駆動される第１のプリンタ部及び第２のプリンタ部を備えたプリンタ装置であって、
印刷開始前又は印刷動作中に前記電池電源の電圧を検出する電圧検出手段と、
前記電圧検出手段の検出値と少なくとも１つ以上の基準値の大小を比較判断する比較判断手段と、
前記第１のプリンタ部及び前記第２のプリンタ部を制御する制御手段と、
を備え、
前記制御手段は、前記比較判断手段により前記電圧検出手段の検出値が基準値より大きいと判断されたときには、所定の動作条件により前記第１のプリンタ部と前記第２のプリンタ部とを並行して動作させる標準モードにより前記第１のプリンタ部と前記第２のプリンタ部を動作させ、前記比較判断手段により前記電圧検出手段の検出値が基準値より小さいと判断されたときには、前記標準モードとは異なる前記電池電源の消耗を抑えた節電モードにより前記第１のプリンタ部と前記第２のプリンタ部とを動作させることを特徴とするプリンタ装置。
【請求項２】
前記制御手段は、印刷開始前に前記比較判断手段により前記電圧検出手段の検出値が基準値より小さいと判断された場合には、前記節電モードの印刷動作として、前記第１のプリンタ部又は前記第２のプリンタ部のうちの一方のプリンタ部の印刷動作を先に開始させ、その印刷動作の終了後に他方のプリンタ部の印刷動作を開始させる制御を行なうことを特徴とする請求項１に記載のプリンタ装置。
【請求項３】
前記制御手段は、前記標準モードの印刷動作中に前記比較判断手段により前記電圧検出手段の検出値が基準値より小さいと判断された場合には、前記節電モードの印刷動作として、前記第１のプリンタ部又は前記第２のプリンタ部のうちの一方のプリンタ部の印刷動作を継続させるとともに、他方のプリンタ部の印刷動作を中断させ、一方のプリンタ部の印刷動作の終了後に、中断した他方のプリンタ部の印刷動作を再開させることを特徴とする請求項１に記載のプリンタ装置。
【請求項４】
前記制御手段は、前記節電モードの印刷動作において、少なくとも前記第１のプリンタ部と第２のプリンタ部のうちの少なくとも一方のプリンタ部の印刷データを間引いて印刷動作させる制御を行なうことを特徴とする請求項２又は３に記載のプリンタ装置。
【請求項５】
前記制御手段は、前記節電モードの印刷動作として、少なくとも前記第１のプリンタ部と前記第２のプリンタ部のうちの少なくとも一方のプリンタ部の印刷濃度をより低い濃度に切替えて印刷動作させる制御を行なうことを特徴とする請求項２又は３に記載のプリンタ装置。
【請求項６】
前記制御手段は、印刷開始前に前記比較判断手段により前記電圧検出手段の検出値が基準値より小さいと判断された場合には、前記節電モードの印刷動作として、前記第１のプリンタ部又は前記第２のプリンタ部のうちの少なくとも一方の印刷データを間引いて、前記第１のプリンタ部及び前記第２のプリンタ部を並行して印刷動作させる制御を行なうことを特徴とする請求項１に記載のプリンタ装置。
【請求項７】
前記制御手段は、印刷開始前に前記比較判断手段により前記電圧検出手段の検出値が基準値より小さいと判断された場合には、前記節電モードの印刷動作として、前記第１のプリンタ部又は前記第２のプリンタ部のうちの少なくとも一方のプリンタ部の印刷濃度をより低い濃度に切替えて、前記第１のプリンタ部及び前記第２のプリンタ部を並行して印刷動作させる制御を行なうことを特徴とする請求項１に記載のプリンタ装置。
【請求項８】
前記制御手段は、前記標準モードの印刷動作中に前記比較判断手段により前記電圧検出手段の検出値が基準値より小さいと判断された場合には、前記節電モードの印刷動作として、前記第１のプリンタ部又は前記第２のプリンタ部のうちの少なくとも一方のプリンタ部の印刷データを間引いて、前記第１のプリンタ部及び前記第２のプリンタ部を並行して印刷動作させる制御を行なうことを特徴とする請求項１に記載のプリンタ装置
【請求項９】
前記制御手段は、前記標準モードの印刷動作中に前記比較判断手段により前記電圧検出手段の検出値が基準値より小さいと判断された場合には、前記節電モードの印刷動作として、前記第１のプリンタ部又は前記第２のプリンタ部のうちの少なくとも一方のプリンタ部の印刷濃度をより低い濃度に切替えて、前記第１のプリンタ部及び前記第２のプリンタ部を並行して印刷動作させる制御を行なうことを特徴とする請求項１に記載のプリンタ装置
【請求項１０】
前記制御手段は、前記標準モードの印刷動作中に前記比較判断手段により前記電圧検出手段の検出値が基準値より小さいと判断された場合には、その判断情報を保持するとともに、前記標準モードの印刷動作を印刷の終了まで継続し、次回の印刷開始時に前記判断情報が保持されている場合には、節電モードの印刷動作として、前記第１のプリンタ部又は前記第２のプリンタ部のうちの一方のプリンタ部の印刷動作を先に開始させ、その印刷動作の終了後に他方のプリンタ部の印刷動作を開始させる制御を行なうことを特徴とする請求項１に記載のプリンタ装置。
【請求項１１】
前記制御手段は、前記節電モードの印刷動作において、少なくとも前記第１のプリンタ部と第２のプリンタ部のうちの少なくとも一方のプリンタ部の印刷データを間引いて印刷動作させる制御を行なうことを特徴とする請求項１０に記載のプリンタ装置。
【請求項１２】
前記制御手段は、前記節電モードの印刷動作として、少なくとも前記第１のプリンタ部と前記第２のプリンタ部のうちの少なくとも一方のプリンタ部の印刷濃度をより低い濃度に切替えて印刷動作させる制御を行なうことを特徴とする請求項１０に記載のプリンタ装置。
【請求項１３】
前記制御手段は、前記標準モードの印刷動作中に前記比較判断手段により前記電圧検出手段の検出値が基準値より小さいと判断された場合には、その判断情報を保持するとともに、前記標準モードの印刷動作を印刷の終了まで継続し、次回の印刷開始時に前記判断情報が保持されている場合には、前記第１のプリンタ部又は前記第２のプリンタ部のうちの少なくとも一方の印刷データを間引いて、前記第１のプリンタ部及び前記第２のプリンタ部を並行して印刷動作させる制御を行なうことを特徴とする請求項１に記載のプリンタ装置。
【請求項１４】
前記制御手段は、前記標準モードの印刷動作中に前記比較判断手段により前記電圧検出手段の検出値が基準値より小さいと判断された場合には、その判断情報を保持するとともに、前記標準モードの印刷動作を印刷の終了まで継続し、次回の印刷開始時に前記判断情報が保持されている場合には、前記節電モードの印刷動作として、前記第１のプリンタ部又は前記第２のプリンタ部のうちの少なくとも一方のプリンタ部の印刷濃度をより低い濃度に切替えて、前記第１のプリンタ部及び前記第２のプリンタ部を並行して印刷動作させる制御を行なうことを特徴とする請求項１に記載のプリンタ装置
【請求項１５】
前記第１のプリンタ部は、電子データを記録する記録媒体のレーベル面に文字列を印刷し、前記第２のプリンタ部は、前記第１のプリンタ部が記録媒体のレーベル面に印刷する前記文字列を前記記録媒体の収納ケースに用いるラベル用の印刷媒体に印刷することを特徴とする請求項１ないし１４のいずれかに記載のプリンタ装置。
【発明の詳細な説明】
【技術分野】
【０００１】
本発明は、装置本体の筐体内に電池電源により駆動される第１のプリンタ部と第２のプリンタ部とを備えたプリンタ装置に関する。
【背景技術】
【０００２】
従来、筐体内に２つのプリンタ部を備えたプリンタ装置として、特開２００２−２４０３５９号公報に記載されるものがある。このプリンタ装置は、熱転写用のテープに熱転写方式により印刷を行なう第１のプリンタ部と感熱用のテープに感熱方式により印刷を行なう第２のプリンタ部とを同一の筐体内に備えており、コンピュータ装置に接続してコンピュータ装置から印刷データや電源の供給を受けて動作し、あるいはコンピュータ装置から切り離し任意の場所に持ち運んで使用できるように構成されている。
【０００３】
そして、例えば、印字品位の高い印刷をしたい場合には、第１のプリンタ部を選択し、手軽に簡単に印刷をしたい場合には、第２のプリンタ部を選択するというように、そのときの用途に合わせてプリンタ部を選択して印刷を行なうことができる。
【特許文献１】特開２００２−２４０３５９号公報
【発明の開示】
【発明が解決しようとする課題】
【０００４】
前記従来のプリンタ装置は、印刷形態の異なる２つのプリンタ部を同一筐体内に備えており、用途に応じて使い分けができ、それらのプリンタ装置を別個に２台準備する必要がない点で便利である。
【０００５】
しかし、前記従来のプリンタ装置では、第１のプリンタ部と第２のプリンタ部とで同じ印刷データの印刷を行ないたい場合には、１つのプリンタ部を選択し、そのプリンタ部の動作が終了してから次のプリンタ部を動作させる必要があり、印刷のために多くの時間を必要とする問題がある。
【０００６】
本発明はこのような点に着目してなされたもので、同一筐体内に設けられた２つのプリンタ部をそれぞれ駆動して印刷を行なう場合に印刷処理の時間を短縮することができ、特に、単一の電池電源により２つのプリンタ部を動作させる場合に、電池電圧が低下しても２つのプリンタ部の動作を制御することにより、２つのプリンタ部を用いて時間を短縮して印刷処理をすることができるプリンタ装置を提供することを目的とする。
【課題を解決するための手段】
【０００７】
本発明のプリンタ装置は、単一の電池電源により駆動される第１のプリンタ部及び第２のプリンタ部を備えたプリンタ装置であって、印刷開始前又は印刷動作中に前記電池電源の電圧を検出する電圧検出手段と、前記電圧検出手段の検出値と少なくとも１つ以上の基準値の大小を比較判断する比較判断手段と、前記第１のプリンタ部及び前記第２のプリンタ部を制御する制御手段と、を備え、前記制御手段は、前記比較判断手段により前記電圧検出手段の検出値が基準値より大きいと判断されたときには、所定の動作条件により前記第１のプリンタ部と前記第２のプリンタ部とを並行して動作させる標準モードにより前記第１のプリンタ部と前記第２のプリンタ部を動作させ、前記比較判断手段により前記電圧検出手段の検出値が基準値より小さいと判断されたときには、前記標準モードとは異なる前記電池電源の消耗を抑えた節電モードにより前記第１のプリンタ部と前記第２のプリンタ部とを動作させることを特徴とする。
【０００８】
前記制御手段は、印刷開始前に前記比較判断手段により前記電圧検出手段の検出値が基準値より小さいと判断された場合には、前記節電モードの印刷動作として、前記第１のプリンタ部又は前記第２のプリンタ部のうちの一方のプリンタ部の印刷動作を先に開始させ、その印刷動作の終了後に他方のプリンタ部の印刷動作を開始させる制御を行なうように構成する。この場合に、前記制御手段は、前記節電モードの印刷動作において、少なくとも前記第１のプリンタ部と第２のプリンタ部のうちの少なくとも一方のプリンタ部の印刷データを間引いて印刷動作させる制御を行なうことが好ましく、また、前記制御手段は、前記節電モードの印刷動作として、少なくとも前記第１のプリンタ部と前記第２のプリンタ部のうちの少なくとも一方のプリンタ部の印刷濃度をより低い濃度に切替えて印刷動作させる制御を行なうことが望ましい。
【０００９】
また、前記制御手段は、前記標準モードの印刷動作中に前記比較判断手段により前記電圧検出手段の検出値が基準値より小さいと判断された場合には、前記節電モードの印刷動作として、前記第１のプリンタ部又は前記第２のプリンタ部のうちの一方のプリンタ部の印刷動作を継続させるとともに、他方のプリンタ部の印刷動作を中断させ、一方のプリンタ部の印刷動作の終了後に、中断した他方のプリンタ部の印刷動作を再開させるように構成する。この場合に、前記制御手段は、前記節電モードの印刷動作において、少なくとも前記第１のプリンタ部と第２のプリンタ部のうちの少なくとも一方のプリンタ部の印刷データを間引いて印刷動作させる制御を行なうことが好ましく、また、前記制御手段は、前記節電モードの印刷動作として、少なくとも前記第１のプリンタ部と前記第２のプリンタ部のうちの少なくとも一方のプリンタ部の印刷濃度をより低い濃度に切替えて印刷動作させる制御を行なうことが望ましい。
【００１０】
また、前記制御手段は、印刷開始前に前記比較判断手段により前記電圧検出手段の検出値が基準値より小さいと判断された場合には、前記節電モードの印刷動作として、前記第１のプリンタ部又は前記第２のプリンタ部のうちの少なくとも一方の印刷データを間引いて、前記第１のプリンタ部及び前記第２のプリンタ部を並行して印刷動作させる制御を行なうように構成する。
【００１１】
また、前記制御手段は、印刷開始前に前記比較判断手段により前記電圧検出手段の検出値が基準値より小さいと判断された場合には、前記節電モードの印刷動作として、前記第１のプリンタ部又は前記第２のプリンタ部のうちの少なくとも一方のプリンタ部の印刷濃度をより低い濃度に切替えて、前記第１のプリンタ部及び前記第２のプリンタ部を並行して印刷動作させる制御を行なうように構成する。
【００１２】
また、前記制御手段は、前記標準モードの印刷動作中に前記比較判断手段により前記電圧検出手段の検出値が基準値より小さいと判断された場合には、前記節電モードの印刷動作として、前記第１のプリンタ部又は前記第２のプリンタ部のうちの少なくとも一方のプリンタ部の印刷データを間引いて、前記第１のプリンタ部及び前記第２のプリンタ部を並行して印刷動作させる制御を行なうように構成する。
【００１３】
また、前記制御手段は、前記標準モードの印刷動作中に前記比較判断手段により前記電圧検出手段の検出値が基準値より小さいと判断された場合には、前記節電モードの印刷動作として、前記第１のプリンタ部又は前記第２のプリンタ部のうちの少なくとも一方のプリンタ部の印刷濃度をより低い濃度に切替えて、前記第１のプリンタ部及び前記第２のプリンタ部を並行して印刷動作させる制御を行なうように構成する。
【００１４】
また、前記標準モードの印刷動作中に前記比較判断手段により前記電圧検出手段の検出値が基準値より小さいと判断された場合には、その判断情報を保持するとともに、前記標準モードの印刷動作を印刷の終了まで継続し、次回の印刷開始時に前記判断情報が保持されている場合には、節電モードの印刷動作として、前記第１のプリンタ部又は前記第２のプリンタ部のうちの一方のプリンタ部の印刷動作を先に開始させ、その印刷動作の終了後に他方のプリンタ部の印刷動作を開始させる制御を行なうように構成する。この場合に、前記制御手段は、前記節電モードの印刷動作において、少なくとも前記第１のプリンタ部と第２のプリンタ部のうちの少なくとも一方のプリンタ部の印刷データを間引いて印刷動作させる制御を行なうことが好ましく、また、前記制御手段は、前記節電モードの印刷動作として、少なくとも前記第１のプリンタ部と前記第２のプリンタ部のうちの少なくとも一方のプリンタ部の印刷濃度をより低い濃度に切替えて印刷動作させる制御を行なうことが望ましい。
【００１５】
また、前記制御手段は、前記標準モードの印刷動作中に前記比較判断手段により前記電圧検出手段の検出値が基準値より小さいと判断された場合には、その判断情報を保持するとともに、前記標準モードの印刷動作を印刷の終了まで継続し、次回の印刷開始時に前記判断情報が保持されている場合には、前記第１のプリンタ部又は前記第２のプリンタ部のうちの少なくとも一方の印刷データを間引いて、前記第１のプリンタ部及び前記第２のプリンタ部を並行して印刷動作させる制御を行なうように構成する。
【００１６】
また、前記制御手段は、前記標準モードの印刷動作中に前記比較判断手段により前記電圧検出手段の検出値が基準値より小さいと判断された場合には、その判断情報を保持するとともに、前記標準モードの印刷動作を印刷の終了まで継続し、次回の印刷開始時に前記判断情報が保持されている場合には、前記節電モードの印刷動作として、前記第１のプリンタ部又は前記第２のプリンタ部のうちの少なくとも一方のプリンタ部の印刷濃度をより低い濃度に切替えて、前記第１のプリンタ部及び前記第２のプリンタ部を並行して印刷動作させる制御を行なうように構成する。
【００１７】
また、前記第１のプリンタ部は、電子データを記録する記録媒体のレーベル面に文字列を印刷し、前記第２のプリンタ部は、前記第１のプリンタ部が記録媒体のレーベル面に印刷する前記文字列を前記記録媒体の収納ケースに用いるラベル用の印刷媒体に印刷するように構成することが望ましい。
【発明の効果】
【００１８】
本発明の印刷装置によれば、印刷動作前又は印刷動作中に検出する２つのプリンタ部を駆動する単一の電池電源の電圧値が基準値より大きいときには、所定の動作条件の標準モードにより２つのプリンタ部を並行して動作させ、その電池電源の電圧値が基準値より小さいときには、その印刷の開始から、あるいは印刷の途中から、あるいは次回の印刷のときから、電池電源の消耗を抑えた種々の節電モードによりそれらプリンタ部の動作を継続するものであるから、２つのプリンタ部を選択して個別に動作させる従来のプリンタ装置に比べて、２つのプリンタ部を駆動してそれぞれから印刷物を得る場合に、それらの印刷物の印刷処理の時間を短縮することができ、また、電池電源の電圧低下の条件下で電池電源の負担をより軽くして確実に印刷を行なうことができる。
【００１９】
そして、節電モードによるプリンタ部の動作としては、２つのプリンタ部の並行動作から１台づつ順に動作させる個別動作に切替えたり、あるいは、２つのプリンタ部の並行動作時や個別動作時に、少なくとも一方のプリンタ部の印刷データを間引いて負荷をより小さくして動作させたり、少なくとも一方のプリンタ部の印刷濃度を低い濃度に切替えて動作させたりすることにより、２つのプリンタ部を前記所定の動作条件で並行動作できない電池電源の電圧低下の条件下で電池電源の負担をより軽くして確実に最後まで印刷することができ、印刷処理に要する時間の短縮を図ることができる。
【００２０】
また、第１のプリンタ部により記録媒体のレーベル面に文字列を印刷し、第２のプリンタ部により記録媒体の収納ケースに用いるラベルに前記文字列を印刷することができ、互いに組み合わせて用いるこれらの関連した印刷対象物に同一内容の印刷を短時間で処理することができる。
【発明を実施するための最良の形態】
【００２１】
以下、図面を参照しながら本発明の実施形態について説明する。
【００２２】
図１は本発明の実施形態に係る第１のプリンタ部と第２のプリンタ部を備えるプリンタ装置の全体の斜視図であり、図２はそのプリンタ装置の側面図である。
【００２３】
このプリンタ装置１は装置本体としての筐体２を備え、その筐体２の内部にはＣＤ―Ｒなどの光ディスク（記録媒体）のレーベル面に印刷を行なう第１のプリンタ部３と、テープに印刷を行なう第２のプリンタ部４とが設けられている。
【００２４】
筐体２の正面側には、キー入力部１１と液晶表示部１２を備えるキーボード１０がヒンジ１３を介して筐体２の正面パネル２ａに起伏動可能に取り付けられている。また、筐体２の側面パネル２ｂには開口部５が設けられ、この開口部５から光ディスクを装着する第１のプリンタ部３のトレイ２１が筐体２外に移動可能に設けられている。さらに、筐体２の背面側２ｃには開閉可能なプリンタカバー６により覆われる第２のプリンタ部４が設けられている。
【００２５】
７は筐体２内に設けられる不図示の電池収納室を覆う電池カバーであり、電池収納室には、このプリンタ装置１の駆動電源となる電池が収納される。また、８は側面パネル２ｂ及び正面パネル２ａに設けられる第１のプリンタ部３の消耗品の交換用の開口部を覆うカバーであり、９は第１のプリンタ部３のトレイ２１をイジェクト操作するための操作ボタンである。
【００２６】
前記キー入力部１１には、文字や記号等を入力する文字入力キー、液晶表示部１２に表示されるカーソルを移動させるカーソルキー、各種入力データや選択データの確定、特定機能の開始の指示等を行なうときに操作する特定機能キー、装置の電源をオン・オフするための電源キー等、およびその他の動作に必要な制御キーが備えられている。
【００２７】
図３はプリンタ装置１の筐体２内に設けられた第１のプリンタ部３の主要部の構成を示す正面構成図、図４は同じく側面構成図を示している。
【００２８】
筐体２の内部にはベース２０が設けられ、そのベース２０上には印刷対象物としての光ディスクＤを支持するトレイ２１が設けられる。また、筐体２の内部には、トレイ２１に支持された光ディスクＤのレ一ベル面に対して、当該光ディスクＤに記録されたデータ情報に関するタイトル等の印刷を行なうプリンタ機構３５が設けられている。
【００２９】
トレイ２１は、矩形でプレート状のトレイ本体２２を備え、そのトレイ本体２２には、回転軸２３を中心に回転可能にして光ディスクＤを支持する回転台２４が設けられている。この回転台２４の表面には緩衝材シート２５が貼設され、その中央部には光ディスクＤの円孔の内縁に係合する複数の係合爪２６が設けられている。
【００３０】
トレイ２１は、筐体２内の上下の位置でベース２０に設けた一対の案内レール２７に沿って案内され、光ディスクＤに対して印刷を行なう筐体２内の所定の収納位置と、光ディスクＤの着脱が可能な筐体２外の排出位置との間を移動可能に設けられている。
【００３１】
トレイ本体２２の下側の側縁にはラック２８が設けられている。筐体２内にはラック２８と噛み合う駆動ギア２９およびギア列３０を介して駆動ギア２９を正逆回転させるトレイ移動モータ３１が設けられている。そして、筐体２の側面パネル２ｂに設けられたイジェクトボタン９の操作により、モータ３１が一方向に回転駆動されて、筐体２内に位置するトレイ２１が、筐体２の開口部５から筐体２外に排出される。また、操作ボタン９の操作によりモータ３１が逆方向に回転駆動されて、筐体２外に位置するトレイ２１が筐体２内の収納位置まで移動される。
【００３２】
トレイ２１に設けられた回転台２４は、トレイ本体２２の裏面側に設けられたトレイ回転モータ３２を駆動源とし、ギア列３３を介してモータ３２の駆動力が回転軸２３に伝達されて時計回りに回転駆動される。
【００３３】
なお、トレイ本体２２には、回転台２４の回転角度を検出してモータ３２の駆動を制御するためのスイッチからなる回転角度検出部３４が設けられている。この検出部３４は、回転台２４の外周縁の１８０°対向する２箇所にそれぞれ設けた不図示のスイッチ操作用の突部によって作動され、この検出部３４の作動によって回転台２４の回転位置を検出できるように構成されている。
【００３４】
筐体２内には、トレイ２１の回転台２４と対向して、熱転写プリンタからなるプリンタ機構３５が設けられている。
【００３５】
このプリンタ機構３５は、ブリッジ形状のプリンタフレーム３６を備える。このプリンタフレーム３６は、サーマルヘッド３７を搭載したキャリッジ３８を支持するとともに、キャリッジ３８を回転台２４に沿って垂直方向に往復走行させる走行路を形成している。プリンタフレーム３６には、キャリッジ３８を摺動自在に案内するガイドシャフト３９が設けられ、またキャリッジ３８の走行時にキャリッジ３８に設けられた不図示の駆動ギアと噛み合うラック４０が設けられている。このキャリッジ３８は、そこに搭載したキャリッジモータ４１でラック４０と噛み合う駆動ギアを駆動してガイドシャフト３９に沿って往復移動する自走方式となっている。
【００３６】
また、キャリッジ３８の前面側には熱転写印刷のためのインクリボンを収容したリボンカートリッジ４３が装着されている。
【００３７】
また、図示を省略しているが、キャリッジ３８には、モータ４１を駆動源としてカム機構などによってサーマルヘッド３７を印刷位置と非印刷位置とに移動させるヘッド移動機構、モータ４１を駆動源としてキャリッジ３８に設けられるリボン巻取り軸４２を駆動してインクリボンを巻き取るリボン巻取機構が設けられている。
【００３８】
この第１のプリンタ部３では、モータ４１の正転駆動によりヘッド移動機構を作動してサーマルヘッド３７を回転台２４上の光ディスクＤのレーベル面に当接して押圧する印刷位置に移動させてその位置に保持するとともに、回転台２４を停止し光ディスクＤを静止した状態でキャリッジ３８を図３及び図４の下側の初期位置から上側に向けて移動させることにより印刷を行なう。この印刷中には、モータ４１の正転駆動によりリボン巻取り軸４２が駆動されて熱転写に使用されたインクリボンの巻取りが行われる。
【００３９】
また、印刷が終了すると、モータ４１の逆転駆動によって、サーマルヘッド３７を光ディスクＤのレーベル面から開離した非印刷位置に移動させてその位置に保持するとともに、キャリッジ３８を図３及び図４の上側から下側の初期位置に向けて復帰移動させるものである。リボン巻取機構にはワンウエイクラッチ機構が設けられており、キャリッジ３８の復帰移動の際には、リボン巻取り軸４２の駆動は行われない。
【００４０】
この第１のプリンタ部３では、１回の印刷動作によりサーマルヘッド３７の発熱素子列の幅（印刷可能幅）とそのサーマルヘッド３７の移動する距離（印刷可能長さ）に対応する矩形の印刷領域内に印刷が可能であり、ここでは、サーマルヘッド３７に１２８個の発熱素子が配列されており、その印刷可能幅は１６ｍｍであり、印刷可能長さは７４ｍｍである。また、この第１のプリンタ部３では、１回又は２回の印刷動作により光ディスクＤのレーベル面の１箇所又は２箇所の印刷領域に印刷を行なうことができる。レーベル面の２箇所に印刷を行なう場合には、１箇所目の印刷の終了後に、キャリッジ３８の初期位置への復帰後あるいは復帰の途中でトレイ回転モータ３２を駆動して回転台２４を１８０°回転させた後に、１回目の印刷動作と同様にしてキャリッジ３８を初期位置から印刷動作方向に移動させて２回目の印刷動作を行なうことで、２箇所目の印刷を行なう。
【００４１】
例えば、図１に示すように、光ディスクＤのレーベル面上のＡは第１の印刷領域を示し、Ｂは第２の印刷領域を示している。１箇所だけに印刷する場合にはＡ又はＢの印刷領域に印刷を行ない、２箇所に印刷を行なう場合にはＡとＢの印刷領域に順に印刷を行なう。光ディスクＤ上の「ＣＤ−Ｒ」の文字はプレ印刷部分Ｐを表している。このプレ印刷部分Ｐを有する光ディスクＤでは、そのプレ印刷部分Ｐがトレイ２１の回転台２４に装着するときの位置合わせの基準に使用される。
【００４２】
すなわち、図１に示すように、プレ印刷部分Ｐを下側にして光ディスクＤをトレイ２１の回転台２４に装着する。光ディスクＤを装着したトレイ２１が筐体２内に収納された後、印刷開始前に回転台２４は１８０°回転して光ディスクＤ上のＡの印刷領域をプリンタ機構３５に対応させ、この後、Ａの印刷領域に印刷を行なう。２箇所に印刷する場合には、さらに回転台２４を１８０°回転してＢの印刷領域にも印刷を行なうことになる。
【００４３】
図５はプリンタ装置１の背面側に設けられテープに印刷を行なう第２のプリンタ部４の構成を示す正面構成図である。
【００４４】
この第２のプリンタ部４は、筐体２の背面側２ｃに開閉可能に設けられたプリンタカバー６によって覆われるテープカートリッジ装填部５０を備え、そのテープカートリッジ装填部５０にテープ状の印刷媒体と被印刷媒体（インクリボン５２と熱転写用の印刷テープ５３）を収納したテープカートリッジ５１が装填される。なお、印刷テープ５３は、表面に印刷が行われ、裏面に接着剤を有する受像テープを剥離テープに貼着して構成されている。
【００４５】
このテープカートリッジ装填部５０には、インクリボン５２のインクを印刷テープ５３に熱転写して印刷を行なうサーマルヘッド５６、図示しない駆動機構により回転駆動されてインクリボン５２及び熱転写用印刷テープ５３を搬送するプラテンローラ５７、前記駆動機構によりプラテンローラ５７とともに回転駆動されて使用されたインクリボン５２を巻き取るリボン巻取り軸５８などを備えるテーププリンタ機構５５が設けられている。前記サーマルヘッド５６は、１６ｍｍ幅で１２８個の発熱素子を備えており、この発熱素子列はテープカートリッジ装填部５０に装填される印刷テープ５３の幅方向に配置されている。
【００４６】
また、テープカートリッジ装填部５０には、テープカートリッジ５１のコーナ部を受ける受台６０、テープカートリッジ５１に係合して位置決めする位置合わせ突起６１が設けられ、受台６０にはテープカートリッジ装填部５０に装填されるテープカートリッジ５１の種類、すなわちテープの幅を複数のスイッチの組合せで検出するテープカートリッジ検出部６２が設けられている。テープカートリッジ５１にはそのコーナ部に収容するテープの幅に応じた形状のテープ幅識別部５１ａが形成されており、このテープ幅識別部５１ａによってテープカートリッジ検出部６２の複数のスイッチのオン・オフ動作する組合せでテープ幅の検出を可能にしている。
【００４７】
また、テープカートリッジ装填部５０から筐体２外に向けて搬送路６３が形成され、その搬送路６３の端部には、筐体２の側面部に位置して印刷後の印刷テープ５３が排出される排出口６４が設けられている。排出口６４の近傍には、固定刃６６と可動刃６７とを備え図示しない駆動機構により可動刃６７を固定刃６６に向けて移動させて印刷テープ５３を切断する全切断カッタ６５が設けられ、さらに可動刃６９とこれを受ける刃受け部７０で構成され、印刷テープ５３の剥離テープ部分を残して受像テープ部分を切断するハーフカッタ６８が設けられている。これらの全切断カッタ６５及びハーフカッタ６８の構成は本出願人の特許出願に係る特開２００１−２７７１８４号公報に示されている。ここでは、それと同じ構成のものを使用することができる。
【００４８】
なお、テーププリンタ機構５５のサーマルヘッド５６は、図示しない移動機構によりプリンタカバー６の開放時にプラテンローラ５７から開離し、プリンタカバー６を閉じるとともにプラテンローラ５７に圧接するように構成されている。
【００４９】
この第２のプリンタ部４に装填されるテープカートリッジ５１は、そのハウジング内に印刷テープ５３を巻装したテープスプール５３ａ、インクリボン５２を巻装したリボン供給スプール５２ａ及びインクリボン５２を巻き取るリボン巻取りスプール５２ｂを内蔵している。このテープカートリッジ５１は、例えば、テープ幅が６ｍｍ、９ｍｍ、１２ｍｍ、１８ｍｍ、２４ｍｍなどの異なる複数種類が用意されている。
【００５０】
この第２のプリンタ部４では、印刷動作時にプラテンローラ５７が駆動されると、テープカートリッジ装填部５０に装填されたテープカートリッジ５１から印刷テープ５３及びインクリボン５２が重ねられた状態でサーマルヘッド５６とプラテンローラ５７の間に供給され、サーマルヘッド５６により熱転写印刷が行われた後に印刷テープ５３は搬送路６３を通って排出口６４から筐体２の外に排出される。また、同時にリボン巻取り軸５８も駆動されて、印刷に使用されたインクリボン５２がリボン巻取りスプール５２ｂに巻き取られる。印刷が終了すると、全切断カッタ６５、あるいはハーフカッタ６８及び全切断カッタ６５を作動させて印刷テープ５３を切断しラベルとして切り離す。
【００５１】
図６には本実施形態に係るプリンタ装置１の電気回路の構成を示してある。このプリンタ装置１は第１のプリンタ部３及び第２のプリンタ部４を制御する制御部（ＣＰＵ）８０を有し、この制御部８０には、ＲＯＭ８１およびＲＡＭ８２が備えられている。
【００５２】
ＲＯＭ８１には、プリンタ装置１の各部の動作を制御するためのシステムプログラムなどのプログラムデータが記憶される。またＲＯＭ８１には、第１のプリンタ部３及び第２のプリンタ部４のサーマルヘッド３７、５６の発熱素子への通電時間を設定する通電時間テーブルのデータが記憶される。
【００５３】
第１のプリンタ部３及び第２のプリンタ部４は通常モードと節電モードの２つのモードで印刷動作可能になっており、第１のプリンタ部３及び第２のプリンタ部４のサーマルヘッド３７、５６を駆動するための通電時間テーブルは、通常モードと節電モードのそれぞれに対応して備えられている。この節電モードでは通常モードに比べてサーマルヘッド３７の通電時間を短くして電力消費を抑えている。このため、節電モードでの印刷では通常モードに比べて印刷濃度が低くはなるが、実用上の問題はない程度に通電時間の設定が行なわれている。
またＲＯＭ８１には、第１のプリンタ部３及び第２のプリンタ部４を駆動する単一の電池電源のローバッテリを判断するための基準電圧値のデータａ、ｂ、ｃが記憶される。この基準電圧値は、印刷開始前に擬似負荷を用いて行われる電池９３の電圧チェック時と、印刷動作中に行われる電池９３の電圧チェック時にローバッテリの判断に用いられる。
【００５４】
印刷開始前の電圧チェックでは、各プリンタ部のサーマルヘッド３７、５６及びモータ４１、８８が擬似負荷として用いられ、サーマルヘッド３７、５６の全発熱素子のうちの半数に通電するとともに、ステップモータ４１、８８の磁極への励磁をホールドした状態で電池電圧のチェックを行なう。そして、基準電圧値ａ、ｂに基づいてローバッテリの判断をなう。電源電圧が基準電圧値ａに達しないときは、電池の消耗が大きく交換が必要であり、第１のプリンタ部３及び第２のプリンタ部４のいずれも動作させることができない。また、電池電圧が基準電圧値ｂ以上のときは、電池容量が十分にあり、第１のプリンタ部３及び第２のプリンタ部４を所定の動作条件の標準モードにより並行して動作させることができる。また、電池電圧が基準電圧値ａからｂの間では、標準モードの動作には電池容量が不足するため、節電モードによる動作を行なうべきものと判断する。
【００５５】
また、印刷動作中の電圧チェックでは、サーマルヘッド３７、５６の1ラインの印刷中に電池電圧を検出し、基準電圧値ｃに基づいてローバッテリの判断を行なう。電池電圧が基準電圧値ｃ以上であれば、第１のプリンタ部３及び第２のプリンタ部４を所定の動作条件の標準モードにより並行して動作させることができる。しかし、基準電圧値ｃ未満であれば、節電モードによる動作を行なうべきものと判断する。
【００５６】
ＲＡＭ８２には、入力されたデータを記憶する入力データメモリや印刷パターンデータを記憶するための印刷データメモリなどが備えられ、また後述するローバッテリのフラグや動作モードのフラグ、あるいは印刷動作に必要なデータが一時的に記憶される。
【００５７】
また、制御部８０には、キー入力部１１、表示部１２が接続され、表示及び印刷のための文字フォントを発生するフォントＲＯＭ８３が接続される。
【００５８】
第１のプリンタ部３に設けられたトレイ移動モータ３１及びトレイ回転モータ３２は、モータドライバ８４、８５を介して制御部８０に接続され、制御部８０の制御を受けて回転駆動されてトレイ２１を筐体２の内外に移動させ、回転台２４を回転させる。
【００５９】
第１のプリンタ部３に設けられたキャリッジモータ４１は、モータドライバ８６を介して制御部８０に接続され、制御部８０の制御を受けて駆動されてキャリッジ３８を移動させ、またサーマルヘッド３７はヘッドドライバ８７を介して制御部８０に接続される。制御部８０には、トレイ２１の回転角度検出部３４からの検知信号が供給される。
【００６０】
第２のプリンタ部４には、テープ搬送モータ８８及びカッタモータ９０が設けられ、それぞれモータドライバ８９、９１を介して制御部８０に接続される。このテープ搬送モータ８８はプラテンローラ５７を回転して印刷テープ５３を搬送し、またカッタモータ９０は全切断カッタ６５及びハーフカッタ６８を作動して印刷テープ５３の全切断及びハーフカットを行なう。
【００６１】
第２のプリンタ部４に設けられたサーマルヘッド５６はヘッドドライバ９２を介して制御部８０に接続される。また、制御部８０には、テープカートリッジ検出部６２からの検知信号が供給される。
【００６２】
このプリンタ装置１は駆動電源として電池９３を備えている。図６において、９４は電源スイッチ、９５〜９８は電圧変換器であり、電圧変換器９５はＤＣ１２Ｖの電池電圧をＤＣ３．３Ｖに変換し、電圧変換器９６はその電池電圧をＤＣ２０．５Ｖに変換し、電圧変換器９８はその電池電圧をＤＣ５Ｖに変換する。電圧変換器９７は消耗に応じて電池電圧が低下するため常にＤＣ１２Ｖに維持して出力する。
【００６３】
９９〜１０１は電池９３と電圧変換器９５〜９８の間に挿入され、制御部８０により制御されるスイッチング回路であり、第１のプリンタ部３及び第２のプリンタ部４が並行して駆動されるときにはスイッチング回路９９〜１０１がオンし、第１のプリンタ部３が駆動されるときにはスイッチング回路９９、１０１がオンし、第２のプリンタ部４が駆動されるときにはスイッチング回路１００、１０１がオンする。１０２は制御部８０により電池電圧を監視するための電圧検出器であり、電池９３の両端電圧を検出して制御部８０に電圧検出信号を出力する。
【００６４】
このプリンタ装置１では、制御部８０、ＲＯＭ８１、ＲＡＭ８２、ＲＯＭ８３、キー入力部１１及び表示部１２の各部に対して、その動作電圧として電圧変換器９５から出力されるＤＣ３．３Ｖの電圧が供給される。また、第１のプリンタ部３のサーマルヘッド３７、キャリッジモータ４１及びモータドライバ８６に対して、その動作電圧として電圧変換器９６から出力されるＤＣ２０．５Ｖの電圧が供給される。
【００６５】
第２のプリンタ部４のサーマルヘッド５６、テープ搬送モータ８８、モータドライバ８９、カッタモータ９０及びモータドライバ９１に対して、その動作電圧として電圧変換器９７から出力されるＤＣ１２Ｖの電圧が供給される。また、第１のプリンタ部３のヘッドドライバ８７及び第２のプリンタ部４のヘッドドライバ９２に対して電圧変換器９８からＤＣ５Ｖの電圧が供給される。
【００６６】
なお、このプリンタ装置１では、第1のプリンタ部３の消費電力は１０．５Ｗであり、第２のプリンタ部４の消費電力は７．５Ｗになっている。また、前記ローバッテリ判断の各基準電圧値は、ａ＝７．２Ｖ、ｂ＝９．０Ｖ、ｃ＝８．８Ｖに設定されている。前にも説明したように、このプリンタ装置１では、印刷開始前の電池電圧のチェックの結果、電池電圧がａ以上で、かつｂ以上であれば、第１のプリンタ部３及び第２のプリンタ部４を標準モードにより動作させ、電池電圧がａ以上で、かつｂ未満であれば、第１のプリンタ部３及び第２のプリンタ部４を個別に動作させたり、節電モードにより並行動作させ、また電池電圧がａ未満であれば、電池の消耗が大きく第１のプリンタ部３及び第２のプリンタ部４は動作不可能となる。
また、印刷動作時において、電池電圧がｃ以上であれば、第１のプリンタ部３及び第２のプリンタ部４を標準モードにより継続動作させ、電池電圧がｃ未満であれば、第１のプリンタ部３及び第２のプリンタ部４の両方、あるいはその少なくとも１つを節電モードにより動作させる。このように、各基準電圧値のａないしｃの値は、第１のプリンタ部３及び第２のプリンタ部４が前述の各動作が保障されるように決められている。
【００６７】
このプリンタ装置１では、第１のプリンタ部３と第２のプリンタ部４とを個別に動作させることができる一方、単一の印刷データにより２つのプリンタ部を１回の印刷指令に基づいて並行して動作させたり、順に続けて動作させることができる。
【００６８】
図７は、第１のプリンタ部３のサーマルヘッド３７と、第２のプリンタ部４のサーマルヘッド５６の動作のタイミングチャートを示し、この図７では、入力された単一の印刷データにより第１のプリンタ部３と第２のプリンタ部４とを並行して動作させる場合を示している。図７に示す「ＤＡＴＡ１」、「ＬＡＴＣＨ１」及び「ＳＴＢ１」は、それぞれ制御部８０から第１のプリンタ部３に出力される印刷データ信号、ラッチ信号及びストローブ信号であり、「ＤＡＴＡ２」、「ＬＡＴＣＨ２」及び「ＳＴＢ２」は、それぞれ制御部８０から第２のプリンタ部４に出力される印刷データ信号、ラッチ信号及びストローブ信号である。「ＤＡＴＡ１」と「ＤＡＴＡ２」はキー入力部１１からの入力データに対応する単一の同じ印刷データであり、「ＤＡＴＡ１」と「ＤＡＴＡ２」では１ライン分だけタイミングがずれており、「ＤＡＴＡ１」が「ＤＡＴＡ２」に対して１ライン分だけ先行している。すなわち、第１のプリンタ部３と第２のプリンタ部４とで同じ印刷データに基づいて同一内容の印刷を異なる印刷対象物に対して行なうものである。
【００６９】
図示のように制御部８０から第１のプリンタ部３のヘッドドライバ８７と第２のプリンタ部４のヘッドドライバ９２に単一の印刷データの１ライン分ずつのデータ信号「ＤＡＴＡ１」、「ＤＡＴＡ２」を順に転送し、またラッチ信号「ＬＡＴＣＨ１」、「ＬＡＴＣＨ２」及びストローブ信号「ＳＴＢ１」、「ＳＴＢ２」をヘッドドライバ８７、９２に対して順に出力し、１ラインずつ印刷が行われる。ここでは、ストローブ信号「ＳＴＢ１」がハイレベルの間（通電時間Ｔａ）は、ストローブ信号「ＳＴＢ２」をローレベルの間（非通電時間Ｔｃ）に対応させ、またストローブ信号「ＳＴＢ１」がローレベルの間（非通電時間Ｔｂ）は、ストローブ信号「ＳＴＢ２」をハイレベルの間（通電時間Ｔｄ）に対応させることで、サーマルヘッド３７とサーマルヘッド５６による１ラインの印刷の通電を同時に行なわずに交互に行なうことで、1個の制御部８０により２台のプリンタ部を制御可能にするとともに、電源の負担を小さくしている。
【００７０】
次に、プリンタ装置１による印刷動作を説明する。図８はプリンタ装置１の制御の流れを示すフローチャートである。
【００７１】
装置の電源を投入し、キー入力部１１から印刷すべきデータを入力して編集を行なう（ステップＳ１）。キー入力部１１の操作により印刷開始の指示があると（ステップＳ２）、印刷動作の開始前に第１のプリンタ部３及び第２のプリンタ部４のそれぞれについて擬似負荷を用いて同時に駆動して電圧検出器１０２により電池９３の電圧値Ｖを検出し（ステップＳ３）、検出電圧値Ｖが基準電圧値ａ以上か否か判断し、続いて検出電圧値Ｖが基準電圧値ｂ以上か否か判断する（ステップＳ４、Ｓ５）。
【００７２】
検出電圧値Ｖが基準電圧値ａ以上で、かつ基準電圧値ｂ以上の場合（ステップＳ４のＹｅｓ、Ｓ５のＹｅｓ）、すなわち、電池容量が十分にある場合には、標準モードによる印刷動作を行なう。この標準モードの印刷動作は、ＲＯＭ８１に備えられた標準モードの通電時間テーブルにより定められた通電時間に従ってサーマルヘッド３７、５６を駆動して第1のプリンタ部３及び第２のプリンタ部４を並行して動作させるものである（ステップＳ６）。この標準モードの印刷動作については、更に図９により説明する。
【００７３】
また、検出電圧値Ｖが基準電圧値ａ以上で、かつ基準電圧値ｂ未満の場合（ステップＳ４のＹｅｓ、Ｓ５のＮｏ）には、すなわち、電池残量が少なくなっているため、第1のプリンタ部３及び第２のプリンタ部４について節電モードによる印刷動作を行なう（ステップＳ７）。この節電モードによる印刷動作については、更に図１１及び図１２により説明する。
【００７４】
また、ステップＳ４の判断により検出電圧値Ｖが基準電圧値ａ未満の場合は、電池の消耗が大きく電池の交換が必要な状態であるため、電池交換を促す警告を表示部１２に表示し、処理を終了する（ステップＳ４のＮｏ、Ｓ８、エンド）。
【００７５】
次に、ステップＳ６の標準モードによる印刷動作について、図９に基づいて説明する。
【００７６】
この標準モードによる印刷動作では、第1のプリンタ部３のサーマルヘッド３７及びキャリッジモータ４１を駆動し、また、第２のプリンタ部４のサーマルヘッド５６及びテープ搬送モータ８８を駆動し、サーマルヘッド３７及びサーマルヘッド５６の1ラインの印刷中に電圧検出器１０２により電池電圧を検出する（ステップＳ６１、Ｓ６２、Ｓ６３）。そして、ステップＳ６４でステップＳ６３の検出電圧値Ｖが基準電圧値ｃ以上であるか否か判断し、検出電圧値Ｖが基準電圧値ｃ以上であれば、１枚の光ディスクへの印刷及びテープへの１枚のラベル印刷が終了したかを判断し、終了していなければステップＳ６１の処理に戻る（ステップＳ６４のＹｅｓ、Ｓ６５のＮｏ、Ｓ６１）。そして、ステップＳ６１〜Ｓ６５の処理を繰り返し、ステップＳ６５で１枚の印刷が終了したと判断すると、図８に戻って終了する（ステップＳ６５のＹｅｓ、リターン）。
【００７７】
一方、ステップＳ６４でステップＳ６３の検出電圧値Ｖが基準電圧値ｃ未満であると判断すると（ステップＳ６４のＮｏ）、節電モードによる印刷動作を行なう（ステップＳ６４のＮｏ、Ｓ６６）。この節電モードによる印刷動作については、更に図１０に従って説明する。
【００７８】
このように、第１のプリンタ部３及び第２のプリンタ部４の通常モードによる印刷動作の途中で、電池電圧が基準電圧値ｃより低下した場合も通常モードから節電モードに切替えて印刷が行なわれる。
【００７９】
図１０は、通常モードの動作途中から切替えて行なう図９のステップＳ６６の節電モードによる印刷動作を説明するフローチャートである。ステップＳ６４でステップＳ６３の検出電圧値Ｖが基準電圧値ｃ未満であると判断すると（ステップＳ６４のＮｏ）、まず、第２のプリンタ部４の動作を中断し（ステップＳ６６１）、第１のプリンタ部３のみを１ラインづつ動作させる（ステップＳ６６２）。この場合の第１のプリンタ部３の動作は、ＲＯＭ８１に格納された標準モードの通電時間テーブルにより定められた通電時間に従ってサーマルヘッド３７を駆動してもよいが、更に節電のために、ＲＯＭ８１に格納された節電モードの通電時間テーブルにより定められた通電時間に従って駆動してもよく、あるいは印刷データを間引くことにより電力消費を節減して動作させるようにしてもよい。この印刷データの間引き処理では、例えば、サーマルヘッド３７の１ライン分の発熱素子の奇数ドット、あるいは偶数ドットの印刷データを一律に間引くものである。そして、例えば、奇数ドットが黒データで偶数ドットが白データの間引き用のパターンデータをＲＯＭ８１に備えておき、このパターンデータと印刷データの各１ラインの論理積をとった節電用の印刷データをＲＡＭ８２に順次作成し、これらをサーマルヘッド３７に順次転送して駆動するものである。偶数ドットが欠けて印刷品位は落ちるものの実用上は問題なく使用することができる。
【００８０】
このようにして、第１のプリンタ部３を駆動して１ラインずつ印刷動作を行ない、１枚の光ディスクの印刷の終了まで第１のプリンタ部３を動作させる（ステップＳ６６２、Ｓ６６３のＮｏ）。第１のプリンタ部３の印刷動作が終了すると（ステップＳ６６３のＹｅｓ）、中断していた第２のプリンタ部４の印刷動作を再開させる（ステップＳ６６４）。この第２のプリンタ部４も、ＲＯＭ８１に格納された標準モードの通電時間テーブルで定められた通電時間、あるいは節電モードの通電時間テーブルにより定められた通電時間に従って駆動してもよく、あるいは印刷データを間引くことにより電力消費を節減して動作させるようにしてもよい。そして、ステップＳ６６４〜Ｓ６６５の処理を繰り返し、ステップＳ６６５で印刷が終了したと判断すると、図９に戻って処理を終了する（ステップＳ６６５のＹｅｓ、リターン）。
【００８１】
次に、図１１は、図８のステップＳ７の処理に係る印刷動作開始前の電圧チェックに基づく節電モードによる印刷動作の詳細を示すフローチャートである。
【００８２】
まず、第１のプリンタ部３を駆動して印刷データの最初の１ライン目から印刷を開始し、１枚の光ディスクへの印刷を完了する最終印刷ラインまで１ラインずつ印刷を行なう（ステップＳ７１、Ｓ７２のＮｏ）。この第１のプリンタ部３の印刷動作では、ＲＯＭ８１に格納された標準モードの通電時間テーブルで定められた通電時間、あるいは節電モードの通電時間テーブルにより定められた通電時間に従って駆動してもよく、あるいは印刷データを間引くことにより電力消費を節減して動作させるようにしてもよい。
【００８３】
印刷が終了すると（ステップＳ７２のＹｅｓ）、第２のプリンタ部４を駆動して印刷データの最初の１ライン目から印刷を開始し、テープによる１枚のラベル印刷を完了する最終印刷ラインまで１ラインづつ印刷を行なう（ステップＳ７３、Ｓ７４のＮｏ）。この第２のプリンタ部４の印刷動作でも、標準モードの通電時間テーブルで定められた通電時間、あるいは節電モードの通電時間テーブルにより定められた通電時間に従って駆動してもよく、あるいは印刷データを間引くことにより電力消費を節減して動作させるようにしてもよい。
【００８４】
ステップＳ７４で第２のプリンタ部４の印刷の終了を判断すると、図８に戻って終了する（ステップＳ７４のＹｅｓ、リターン）。
【００８５】
また、図１２は他の節電モードによる印刷動作のフローチャートであり、図８のステップＳ７の処理に係る印刷動作開始前の電圧チェックに基づく節電モードによる印刷動作の詳細を示している。
【００８６】
まず、印刷動作の開始前の電圧チェックにより電池電圧の低下が判断されたとき、間引き処理した印刷データに基づいて第１のプリンタ部３を駆動して光ディスクに１ラインの印刷を行ない（ステップＳ７０１）、これに並行して間引きした印刷データにより第２のプリンタ部４を駆動してテープに１ラインの印刷を行ない（ステップＳ７０２）、光ディスク及びテープの各１枚への印刷が終了するまでステップＳ７０１、Ｓ７０２の処理を繰り返す（ステップＳ７０１、Ｓ７０２、Ｓ７０３のＮｏ）。なお、ステップＳ７０１及びＳ７０２では、印刷データの間引きに代えて通電時間の短い節電モードによる通電を行なうこととしてもよい。
【００８７】
次に、図１３は他例の印刷処理に関するフローチャートを表している。
【００８８】
この印刷処理は、第１のプリンタ部３及び第２のプリンタ部４において、印刷枚数の設定により設定した複数枚の光ディスク及びテープへの印刷を行なう場合の例である。
装置の電源を投入し、キー入力部１１から印刷すべきデータを入力して編集を行なう（ステップＳ１０１）。また、第１のプリンタ部３及び第２のプリンタ部４において印刷する光ディスク及びテープの印刷枚数を、光ディスク及びテープについて一括して設定する（ステップＳ１０２）。キー入力部１１の操作により印刷開始の指示があると（ステップＳ１０３）、印刷動作の開始前にローバッテリを表すフラグＦがセットされているか否かを判断する（ステップＳ１０４）。ステップＳ１０４でフラグＦがセットされていないと判断すると、第１のプリンタ部３を駆動して光ディスクに１ラインの印刷を行ない（ステップＳ１０５）、これに並行して第２のプリンタ部４を駆動してテープに１ラインの印刷を行ない（ステップＳ１０６）、この間に電池電圧を検出する（ステップＳ１０７）。この検出された電池電圧が基準電圧値ｃ以上であれば（ステップＳ１０８のＹｅｓ）、１枚の印刷が終了するまでステップＳ１０５からＳ１０８の処理を繰り返す。
【００８９】
また、ステップＳ１０８において、検出された電池電圧が基準電圧値ｃ未満であると判断すると（ステップＳ１０８のＮｏ）、ローバッテリを表すフラグＦをセットした上で（ステップＳ１０９）、１枚の印刷が終了するまでステップＳ１０５からＳ１０８の処理を繰り返す。すなわち、標準モードにより、１枚の印刷が終了するまで第１のプリンタ部３及び第２のプリンタ部４を駆動する。
【００９０】
第１のプリンタ部３及び第２のプリンタ部４により、それぞれ光ディスク及びテープへの各１枚の印刷が終了したと判断すると、設定枚数の印刷を終了したか否かを判断し、終了していれば処理を終了する（ステップＳ１１１のＹｅｓ、エンド）。また、設定枚数の印刷を終了していなければ（ステップＳ１１０のＹｅｓ、Ｓ１１１のＮｏ）、ステップＳ１０３に戻る。そして、第１のプリンタ部３にあっては、トレイ２１を装置の本体外に引き出し、次の光ディスクをトレイ２１にセットした上でトレイ２１を装置本体内に収納する。第２のプリンタ部４にあっては、１枚のラベル印刷の終了後に全切断カッタ６５を駆動して印刷したラベルを切り離し、印刷動作を中断して待機している。
【００９１】
その後、次の印刷開始の指示があると（ステップＳ１０３）、フラグＦのセットを判断する（ステップＳ１０４）。従って、前の印刷時にステップＳ１０８でローバッテリが判断されステップＳ１０９でフラグＦがセットされると、次の印刷時のステップＳ１０４の判断時に、フラグＦによって保持されているローバッテリの情報が反映されて、ステップＳ１１２の節電モードによる印刷動作に移行して印刷動作が継続される。このステップＳ１１２の節電モードによる印刷動作では、先に説明した図１１又は図１２の処理が行われる。そして、節電モードによる印刷動作が終了すると、ステップＳ１１１において、設定枚数の印刷を終了したか否かを判断し、終了していれば処理を終了する（ステップＳ１１１のＹｅｓ、エンド）。また、設定枚数の印刷を終了していなければ、ステップＳ１０３に戻ってそれ以降のステップ処理を繰り返すことになる。
【００９２】
なお、図８ないし図１３における第１のプリンタ部３の印刷処理では、図１に示す光ディスクＤの第１の印刷領域Ａの１箇所に印刷を行なう場合について説明している。このようにして、２台の第１のプリンタ部３及び第２のプリンタ部４による印刷処理の結果から得られた印刷例を図１４（ａ）、（ｂ）に示す。このプリンタ装置では、キー入力部１１から、「看護月報」及び「ＡＢＣ病院新生児室」の２行の印刷データを入力し、その同一のデータを第１のプリンタ部３によって光ディスクＤのレーベル面に直接印刷する一方で、第２のプリンタ部４によってテープに印刷してラベルＬとして切り出し、そのラベルＬを光ディスクＤを収納するケースＣの外側面に貼り付けた様子を示している。
【００９３】
以上述べたように、本発明の実施の形態に係るプリンタ装置によれば、互いに関連する光ディスクＤのレーベル印刷と、その収納ケースＣのラベル印刷とを１回の入力操作により入力した同一の印刷データを用いて２台のプリンタ部によって同時並行して行なうことができるため、その印刷処理に要する時間を短縮し作業を簡単に行なうことができる。
【００９４】
そして、この実施形態に係るプリンタ装置では、印刷動作前又は印刷動作中に検出する２つのプリンタ部３、４を駆動する単一の電池電源９３の電圧値が基準値より大きいときには、所定の動作条件の標準モードにより２つのプリンタ部３、４を並行して動作させ、その電池電源９３の電圧値が基準値より小さいときには、その印刷の開始から、あるいは印刷の途中から、あるいは次回の印刷のときから、電池電源９３の消耗を抑えた種々の節電モードによりそれらプリンタ部３、４の動作を継続するものであるから、２つのプリンタ部を選択して個別に動作させる従来のプリンタ装置に比べて、２つのプリンタ部３、４を駆動してそれぞれから印刷物を得る場合に、それらの印刷物の印刷処理の時間を短縮することができ、また、電池電源９３の電圧低下の条件下で電池電源９３の負担をより軽くして確実に印刷を行なうことができる。
【００９５】
そして、節電モードによるプリンタ部の動作としては、２つのプリンタ部３、４の並行動作から１台づつ順に動作させる個別動作に切替えたり、あるいは、２つのプリンタ部３、４の並行動作時や個別動作時に、少なくとも一方のプリンタ部の印刷データを間引いて負荷をより小さくして動作させたり、少なくとも一方のプリンタ部の印刷濃度を低い濃度に切替えて動作させたりすることにより、２つのプリンタ部を前記所定の動作条件で並行動作できない電池電源９３の電圧低下の条件下で電池電源９３の負担をより軽くして確実に最後まで印刷することができ、印刷処理に要する時間の短縮を図ることができる。
【図面の簡単な説明】
【００９６】
【図１】本発明の一実施形態に係るプリンタ装置の全体の斜視図。
【図２】そのプリンタ装置の側面図。
【図３】そのプリンタ装置の第１のプリンタ部の主要部の構成を示す正面構成図。
【図４】そのプリンタ装置の第１のプリンタ部の主要部の構成を示す側面構成図。
【図５】そのプリンタ装置の第２のプリンタ部の主要部の構成を示す正面構成図。
【図６】そのプリンタ装置の電気回路の構成を示すブロック図。
【図７】そのプリンタ装置におけるサーマルヘッドの動作のタイミングチャート。
【図８】そのプリンタ装置の印刷処理の制御の流れを示すフローチャート。
【図９】そのプリンタ装置の標準モードの印刷動作の制御を示すフローチャート。
【図１０】そのプリンタ装置の節電モードの印刷動作の制御を示すフローチャート。
【図１１】そのプリンタ装置の他例の節電モードの印刷動作の制御を示すフローチャート。
【図１２】そのプリンタ装置の更に他例の節電モードの印刷動作の制御を示すフローチャート。
【図１３】そのプリンタ装置の他例の印刷処理の制御の流れを示すフローチャート。
【図１４】（ａ）は第１のプリンタ部による光ディスクへの印刷例の説明図、（ｂ）は第２のプリンタ部によるラベルの印刷例及びそのラベルの使用例の説明図。
【符号の説明】
【００９７】
１…プリンタ装置、２…筐体、３…第１のプリンタ部、４…第２のプリンタ部、１０…キーボード、１１…キー入力部、１２…液晶表示部、２０…ベース、２１…トレイ、２３…回転軸、２４…回転台、２５…緩衝材シート、２７…案内レール、３１…トレイ移動モータ、３２…トレイ回転モータ、３４…回転角度検出部、３４…検出部、３５…プリンタ機構、３７…サーマルヘッド、３８…キャリッジ、４１…キャリッジモータ、４２…リボン巻取り軸、４３…リボンカートリッジ、５０…テープカートリッジ装填部、５１…テープカートリッジ、５２…インクリボン、５３…熱転写用印刷テープ、５５…テーププリンタ機構、５６…サーマルヘッド、５７…プラテンローラ、６５…全切断カッタ、６８…ハーフカッタ、８０…制御部（ＣＰＵ）、８１…ＲＯＭ、８２…ＲＡＭ、９３…電池電源、Ａ…印刷領域、Ｃ…収納ケース、Ｄ…光ディスク、Ｌ…ラベル。
【図１】
2005288779.tif 000003
【図２】
2005288779.tif 000004
【図３】
2005288779.tif 000005
【図４】
2005288779.tif 000006
【図５】
2005288779.tif 000007
【図６】
2005288779.tif 000008
【図７】
2005288779.tif 000009
【図８】
2005288779.tif 000010
【図９】
2005288779.tif 000011
【図１０】
2005288779.tif 000012
【図１１】
2005288779.tif 000013
【図１２】
2005288779.tif 000014
【図１３】
2005288779.tif 000015
【図１４】
2005288779.tif 000016